(57)【要約】【課題】部品点数が少なく且つ製作が簡単な排水口ドレーン用のストレーナを提供すること。【解決手段】金属板からなる基材１１に多数の通水孔１４Ａ，１４Ｂ・・を形成する一方、上記基材１１の裏面側に排水口ドレーン２の内面２２ａに圧接される複数個のロック片１６，１６・・を設けたストレーナであって、それらの各ロック片１６，１６・・は、上記基材１１の複数箇所においてその一端１７ａ側を残して細長片状に切り込んでなる各細長切込片１７，１７・・をそれぞれ上記基材１１の裏面側に折曲させて基材１１と一体形成していることにより、部品点数が少なく且つ製作が簡単に行えるようにした。又、基材１１に指掛け穴１８を設けたものではストレーナの装着及び抜き外し作業が容易になる。【選択図】        図１
2010116716.tif 000002
【特許請求の範囲】
【請求項１】
金属板からなる基材（１１）に複数の通水孔（１４Ａ，１４Ｂ・・）を形成する一方、上記基材（１１）の裏面側に排水口ドレーン（２）の開口部内面（２２ａ）に圧接される複数個のロック片（１６，１６・・）を設けたストレーナであって、
上記ロック片（１６，１６・・）は、上記基材（１１）の複数箇所においてその一端（１７ａ）側を残して細長片状に切り込んでなる各細長切込片（１７，１７・・）をそれぞれ上記基材（１１）の裏面側に折曲させて基材（１１）と一体形成したものである、
ことを特徴とする排水口ドレーン用のストレーナ。
【請求項２】
上記請求項１において、基材（１１）の中心付近に手の指を挿入し得る大きさの指掛け穴（１８）を形成していることを特徴とする排水口ドレーン用のストレーナ。
【発明の詳細な説明】
【技術分野】
【０００１】
本願発明は、建物のベランダや屋上などに設けられる排水パイプの入口（排水口ドレーン）に装着される排水口ドレーン用のストレーナに関するものである。
【背景技術】
【０００２】
図７（特許文献１の図２）には、建物の排水溝などに設けられる排水設備の一例が示されている。この従来例のものは、マンションのバルコニーなどを構成するスラブ１０４に排水口ドレーン１０２を埋設し、該排水口ドレーン１０２の入口上方に複数の通水孔１１２，１１２・・をもつストレーナ１０１を装着するとともに、排水口ドレーン１０２に縦樋管１０３接続する構成となっている。その際、ストレーナ１０１はストレーナ固定バー（ビス１１６，１１６によって排水口ドレーン１０２の開口部に取付けられている）１１５に対してビス１２１によって固定されるようにしている。
【０００３】
この図７の従来例の構成についてみると、ストレーナ１０１を排水口ドレーン１０２の開口部に装着するためにストレーナ固定バー１１５やその固定用ビス１１６，１１６、さらにストレーナ固定用ビス１２１を必要とし、この従来例のものも部品点数が多いとともに、取付作業工数も多いものとなっている。
【０００４】
又、図８には、建物の排水溝などに設けられる排水設備の他の一例が示されている。この図８の従来例のものは、マンションのバルコニーなどを構成するスラブ１０４に排水口ドレーン１０２を取付け、該排水口ドレーン１０２の入口上方に複数の通水孔１１２，１１２・・をもつストレーナ１０１を装着するとともに、排水口ドレーン１０２に縦樋管１０３接続する構成となっている。
【０００５】
このストレーナ１０１には、そのストレーナ本体１０１Ａの下面側にビス１２１によってバネ材１０６が取付けられており、このバネ材１０６を符号１０６′で示すように内方に撓ませて排水口ドレーン１０２内に挿入し、バネ材１０６と排水口ドレーン１０２の内面１０２ａとの間の圧接力によってストレーナ１０１を固定するようになっている。尚、このバネ材１０６は、ストレーナ本体１０１Ａに対して溶接によって固着させたものもある。
【０００６】
この図８の従来例のものは、ストレーナ１０１を排水口ドレーン１０２に装着する際の作業は、各バネ材１０６，１０６を内方側（符号１０６′）に撓ませて、該各バネ材１０６，１０６を排水口ドレーン１０２内に挿入させるだけでよいので、その装着作業は簡単であるものの、ストレーナ１０１を構成するためにストレーナ本体１０１Ａとバネ材１０６とビス１２１とを必要とし、部品点数が多く、またその組立工数も多いという問題がある。尚、バネ材１０６をストレーナ本体１０１Ａに対して溶接によって固着させたものでも、ストレーナ本体１０１Ａとバネ材１０６との２つの部材が必要であるとともに、溶接作業が必要となる。
【０００７】
又、この種のストレーナは、排水口ドレーンの開口に装着するとき、あるいは掃除のために排水口ドレーンの開口から抜き外すときには、ストレーナを指で摘まんで行うが、例えば図８の従来例のものでは、ストレーナ１０１の装着時にあるいは抜き外し時に該ストレーナ１０１に指を掛けにくい（摘まみにくい）ので、該ストレーナ１０１の装着・抜き外し作業がしにくいという問題もあった。
【０００８】
【特許文献１】特開２００４−１８３３１５号公報
【発明の開示】
【発明が解決しようとする課題】
【０００９】
そこで、本願発明は、上記のような従来技術の問題を改善して部品点数が少なく取付作業工数も少なくて済むような排水口ドレーン用のストレーナを提供することを第１の目的としているとともに、ストレーナを簡単に装着及び抜き外しができるようにすることを第２の目的としている。
【課題を解決するための手段】
【００１０】
本願発明は、上記課題を解決するための手段として次の構成を有している。尚、本願発明は、排水口ドレーン用のストレーナを対象にしている。
【００１１】
［本願請求項１の発明］
本願請求項１の発明の排水口ドレーン用のストレーナは、図１〜図６に例示するように、金属板からなる基材１１に多数の通水孔１４Ａ，１４Ｂ・・を形成する一方、上記基材１１の裏面側に排水口ドレーン２の内面２２ａに圧接される複数個のロック片１６，１６・・を設けたストレーナであって、それらの各ロック片１６，１６・・は、上記基材１１の複数箇所においてその一端１７ａ側を残して細長片状に切り込んでなる各細長切込片１７，１７・・をそれぞれ上記基材１１の裏面側に折曲させて基材１１と一体形成したものであることを特徴としている。
【００１２】
尚、本願のストレーナは、図１〜図３に示す縦向きの排水口ドレーン用や、図４〜図６に示す横向きの排水口ドレーン用の各仕様に製作することができる。
【００１３】
［本願請求項２の発明］
本願請求項２の発明は、上記請求項１の排水口ドレーン用のストレーナにおいて、基材１１の中心付近に手の指を挿入し得る大きさの指掛け穴１８を形成していることを特徴としている。
【発明の効果】
【００１４】
［本願請求項１の発明の効果］
本願請求項１の発明の排水口ドレーン用のストレーナは、上記のように、排水口ドレーン２の開口部内面２２ａに圧接されるロック片１６，１６・・として基材１１の複数個所においてその一端１７ａを残して細長片状に切り込んでなる細長切込片１７，１７・・をそれぞれ基材１１の裏面側に折曲させて基材１１と一体成形したものであるから、ストレーナの基材１１と複数個のロック片１６，１６・・とが一体化されており、ストレーナが全体として１つの部材として構成されている。
【００１５】
従って、本願請求項１の発明のストレーナは、基材１１だけの材料だけで構成できる（部品点数が単品で済む）とともに、ロック片１６，１６・・の形成が簡単である（細長切込片１７を折曲されるだけでよい）という効果がある。
【００１６】
尚、本願請求項１の発明のストレーナは、その各ロック片１６，１６・・を排水口ドレーン２内に押し込むことで、該各ロック片１６，１６・・が排水口ドレーン２の内面に圧接するので、該ストレーナの装着作業は極めて簡単となる。
【００１７】
［本願請求項２の発明の効果］
本願請求項２の発明は、上記請求項１のストレーナにおいて、基材１１の中心付近に手の指を挿入し得る大きさのの指掛け穴１８を形成しているので、ストレーナをドレーン本体２の開口に装着する際、あるいはストレーナをドレーン本体２の開口から抜き外す際等の作業時に、指掛け穴１８に手指を挿入して掛けると該ストレーナを容易に且つ安定的に保持することができる。
【００１８】
従って、本願請求項２の発明のストレーナでは、上記請求項１の効果に加えて、指掛け穴１８に手指を掛けてストレーナを保持できるので、該ストレーナの脱着の際の作業が簡単に行えるという効果がある。
【発明を実施するための最良の形態】
【００１９】
以下、添付の図面を参照して本願発明の実施例を説明すると、図１〜図３には本願第１実施例にかかる排水口ドレーンのストレーナが示され、図４〜図６には同第２実施例にかかる排水口ドレーンのストレーナが示されている。
【００２０】
［図１〜図３の第１実施例］
図１〜図３に示す第１実施例において、符号１はストレーナ、２はストレーナ１が装着される排水口ドレーン、３は排水口ドレーン２に接続された縦樋管、４はマンションのベランダ等のスラブ４を示している。
【００２１】
排水口ドレーン２は、フランジ部２１と円筒部２２とを有している。フランジ部２１の中間位置には環状の段部２３が形成されている。
【００２２】
この排水口ドレーン２は、ベランダ等のスラブ４に形成されているドレーン設置穴４１に下向きに嵌挿されており、そのフランジ２１の上面とスラブ４の上面とがほぼ同一高さとなるようにされている。尚、排水口ドレーン２の開口部内径は、６０mm程度が一般的である。
【００２３】
ストレーナ１は、基材１１全体が１枚ものの金属板（例えばステンレス鋼薄板）製で、円形のフランジ部１２とその内側の山型押出部１３とからなっている。このストレーナ１の外径は、例えば８０mm程度のものでよい（上記排水口ドレーン２の開口部内径が６０mmである場合）。尚、この基材１１の板厚さは、０.５〜１mm程度が適当である。
【００２４】
山型押出部１３の斜面部には、全部打抜きによる上下方向に細長い窓状の通水孔１４Ａ，１４Ａ・・・と、下端部１７ａを残して両側方と上方を打抜いただけでその下端部１７ａに細長い舌片状の細長切込片１７を連続させた状態の窓状の通水孔１４Ｂ，１４Ｂ・・・が形成されている。完全打抜きの通水孔１４Ａの数は８〜１２個（図示例では８個）、細長切込片１７つきの通水孔１４Ｂの数は２〜４個（図示例では４個）が適当である。
【００２５】
各細長切込片１７，１７・・は、排水口ドレーン２の筒部２２内に挿入されたときのロック片（固定用バネ）１６となるものであり、それぞれ基材１１の裏面側に折り曲げている。そして、相互に対向する位置にある一対の細長切込片１７，１７の各下端寄り外面間の距離（図２において符号Ｌで示す）は、排水口ドレーン２の筒部２２の内面２２ａの内径（図２において符号Ｄで示す）よりやや大きくされている。尚、各ロック片１６は、指で強く押すと半径方向に撓ませることができ、符号Ｌの距離を調整できる。
【００２６】
各細長切込片１７の先端部１７ｂは、ストレーナ１を排水口ドレーン２側に押し込んだ際に各細長切込片１７の先端部１７ｂが排水口ドレーン２の筒部２２の開口縁２２ｂと接触して内方に滑り込み移動し易いようにやや内向きに湾曲させている。尚、各細長切込片１７の先端部１７ｂは、外側又は内側にカールさせてもよい。
【００２７】
基材１１の中心部（山型押出部１３の中心部）には、手の指を挿入し得る大きさの指掛け穴１８が形成されている。この指掛け穴１８の大きさは、例えば１５〜２０mm程度が適当である。尚、この指掛け穴１８の口縁部は、全周に亘って下面側の外向きに折り返しており、指掛け穴１８の口縁に指を掛けたときに指触りが悪くならないようにしている。
【００２８】
この第１実施例のストレーナ１を排水口ドレーン２に装着するときには、指掛け穴１８内に１本の指（人差し指）を差し込んでその口縁部を人差し指と親指で摘まむと、ストレーナ１を安定的に保持することができる。そして、ストレーナ１を手指で保持した状態で、図３に示すように各ロック片１６，１６・・を排水口ドレーン２の筒部２２内に押し込むことにより、該ストレーナ１を排水口ドレーン２の開口内に装着できる。尚、各ロック片１６，１６・・を排水口ドレーン２の筒部２２内に押し込んだ状態では、該各ロック片１６，１６・・がバネとなって筒部内面２２ａに圧接せしめられるので、該ストレーナ１が排水口ドレーン２の開口部に固定される。
【００２９】
又、ストレーナ１を排水口ドレーン２の開口部から抜き外す場合は、指掛け穴１８に手指（人差し指）を挿入して該指掛け穴１８の口縁に指を掛けてそのまま強く上方へ引き抜くだけで簡単に取外すことができる。
【００３０】
［図４〜図６の第２実施例］
次に、図４〜図６に示す第２実施例のストレーナを説明すると、この第２実施例のストレーナ１は、図６に示す横向き開口の排水口ドレーン２に使用するものである。即ち、この第２実施例における排水口ドレーン２は、横向き開口の筒部２２の開口端（図６における左側開口端）に縦壁部２１Ａと水平部２１ＢからなるＬ形フランジ２１を有している。そして、この排水口ドレーン２は、図６に示すようにベランダ等の縦壁５の下端部に横向きに形成されたドレーン設置穴５１に挿通させた状態で設置される。
【００３１】
この第２実施例で使用されるストレーナ１は、図４及び図５に示すように略矩形の金属板（例えばステンレス鋼薄板）からなる基材１１に、その下辺部１１ａ以外の左右各側辺部１１ｂ，１１ｃ及び上辺部１１ｄにそれぞれ傾斜部１３ａ，１３ａ，１３ａを有した山型押出部１３を形成したものを採用している。又、基材１１の左右各側辺部１１ｂ，１１ｃ及び上辺部１１ｄには、それぞれ短小幅のフランジ部１２が形成されている。尚、基材１１の山型押出部１３の下辺部１１ａは、図５に示すように下方に開放されていて傾斜部１３ａ及びフランジ部１２は有しない。
【００３２】
山型押出部１３の内面側には、図５に示すように所定奥行き幅（例えば１５mm幅）の空所Ｓが形成されている。この空所Ｓは、後述するように基材１１の外側寄り位置にある各通水孔１４Ａ，１４Ｂから流入する水を排水口ドレーン２の開口部分に導くためのスペースとなるものである。
【００３３】
基材１１の山型押出部１３には、その押出平面部１３ｂと各傾斜部１３ａに跨がる部分に、全部打抜きによる細長い窓状の通水孔１４Ａ，１４Ａ・・・と、横向きで内側端部１７ａを残して上下と外方を打抜いただけでその内側端部１７ａに細長い舌片状の細長切込片１７を連続させた状態の窓状の通水孔１４Ｂ，１４Ｂ・・・とが形成されている。この第２実施例のストレーナ１では、完全打抜きの通水孔１４Ａの数が９個、細長切込片１７つきの通水孔１４Ｂの数が４個であるが、これらの数は適宜設計変更できる。
【００３４】
図４に２点鎖線で示す円（符号２２ａ）は、このストレーナ１を図６に示すように設置した場合における排水口ドレーン２の開口部内径を示すものである。そして、この第２実施例のストレーナ１では、排水口ドレーン２の開口部内径２２ａより外側にはみ出した位置にも通水孔１４Ａ，１４Ｂがあり、その外側はみ出し位置の通水孔１４Ａ，１４Ｂからも水が流入するようになっている。
【００３５】
各細長切込片１７，１７・・は、第１実施例のものと同様に、排水口ドレーン２の筒部２２内に挿入されたときのロック片（固定用バネ）１６となるものであり、それぞれ基材１１の裏面側に折り曲げている。又、この第２実施例の場合も、相互に対向する位置にある一対の細長切込片１７，１７の各先端寄り位置間の距離は、排水口ドレーン２の筒部２２の内面２２ａ（図６）の内径よりやや大きくされている。
【００３６】
各細長切込片１７の先端部１７ｂは、上記第１実施例と同様に、ストレーナ１を排水口ドレーン２側に押し込んだ際に各細長切込片１７の先端部１７ｂが排水口ドレーン２の筒部２２の開口縁２２ｂと接触して内方に滑り込み移動し易いようにやや内向きに湾曲させている。又、この第２実施例の場合も、各細長切込片１７の先端部１７ｂを外側又は内側にカールさせてもよい。
【００３７】
基材１１の中心寄り位置には、手の指を挿入し得る大きさの指掛け穴１８が形成されている。尚、この指掛け穴１８は、上記第１実施例の指掛け穴１８と同じ機能を有するものである。
【００３８】
基材１１の下辺部１１ａには、図４に示すように小間隔をもって半円状の凹部１９，１９・・が形成されている。この各凹部１９は通水口となるもので、ストレーナ１の設置状態ではスラブ４（図６）の上面に僅かな水量が溜まっても、その水を該各凹部１９から排水口ドレーン２側に流入させ得るようにしている。
【００３９】
この第２実施例のストレーナ１は、図６に示すように横向き姿勢で取付けられている排水口ドレーン２の開口部に対して、各ロック片１６（４つある）を横向きに挿入することで装着される。この場合も、指掛け穴１８に指を掛けてストレーナ１を保持して行えば、該ストレーナ１を安定姿勢で装着できる。又、ストレーナ１の装着状態では、各ロック片１６（４つ）が排水口ドレーン２の内面に圧接しているので、上記第１実施例の場合と同様に該ストレーナ１が安定状態で装着される。
【００４０】
他方、ストレーナ１の装着状態（図６）では、基材１１のフランジ部１２が排水口ドレーン２の縦壁部２１Ａに衝合するが、この状態では山型押出部１３の内面側に所定奥行き幅（約１５mm）の空所Ｓが形成されている。そして、このストレーナ１では、ドレーン開口面積（図１の符号２２ａで示す２点鎖線の円）の外側に位置する通水孔１４Ａ，１４Ｂからも水が流入するが、該外側はみ出し位置の通水孔１４Ａ，１４Ｂから流入した水は山型押出部１３内面側にある空所Ｓ中を落下してドレーン開口付近に集約された後、該ドレーン開口内に流入するようになる。従って、この第２実施例のストレーナ１では、通水孔１４Ａ，１４Ｂを排水口ドレーン２の開口部内径２２ａより外側にはみ出して形成したものでも、全通水孔１４Ａ，１４Ｂから水を支障なく流入させることができる。
【００４１】
このように、各通水孔１４Ａ，１４Ｂを排水口ドレーン２の開口面積より外側にも形成すると、ストレーナ１の通水面積が広くなって、該通水孔が目詰まりしにくくなるという機能がある。
【００４２】
上記第１及び第２の各実施例のストレーナ１の機能を要約すると、基材１１だけの材料だけで構成できる（部品点数が単品で済む）とともに、ロック片１６，１６・・の形成が簡単である（細長切込片１７を折曲されるだけでよい）。又、各実施例のストレーナ１は、その各ロック片１６，１６・・を排水口ドレーン２内に押し込むことで、該各ロック片１６，１６・・が排水口ドレーン２の内面に圧接するので、該ストレーナ１の装着作業は極めて簡単である。
【００４３】
又、基材１１の中央付近に指掛け穴１８を設けておくと、ストレーナ１を排水口ドレーン２の開口に装着あるいは抜き外しする際に、指掛け穴１８に指を差し込んでその口縁部を摘まんだ状態で行えるので、このストレーナ１の装着・抜き外し作業が容易に行える。尚、この指掛け穴１８は、通水孔としての機能もある。
【図面の簡単な説明】
【００４４】
【図１】本願発明の第１実施例にかかる排水口ドレーンのストレーナの形状斜視図である。
【図２】図１におけるII−II断面状態の説明図である。
【図３】図２に示すストレーナを排水口ドレーンに装着した状態の説明図である。
【図４】本願発明の第２実施例にかかる排水口ドレーンのストレーナの正面図である。
【図５】図４に示すストレーナのＶ−Ｖ断面図である。
【図６】図５に示すストレーナを排水口ドレーンに装着した状態の説明図である。
【図７】従来公知の排水口ドレーンのストレーナの形状説明図である。
【図８】他の従来公知の排水口ドレーンのストレーナの形状説明図である。
【符号の説明】
【００４５】
１はストレーナ、２は排水口ドレーン、１１は基材、１２はフランジ、１４Ａ，１４Ｂは通水孔、１６はロック片、１７は細長切込片、１７ａは細長切込片の一端、１８は指掛け穴、２２は筒部、２２ａは開口部内面である。
【図１】
2010116716.tif 000003
【図２】
2010116716.tif 000004
【図３】
2010116716.tif 000005
【図４】
2010116716.tif 000006
【図５】
2010116716.tif 000007
【図６】
2010116716.tif 000008
【図７】
2010116716.tif 000009
【図８】
2010116716.tif 000010